(57)【特許請求の範囲】
【請求項１】
発光素子が発生した熱を放熱するために複数の放熱用フィンが放射状に配列された照明装置において、
前記複数の放熱用フィンを前記発光素子の径方向の外側に配置すると共に、前記複数の放熱用フィンを橋絡するための環状の橋絡手段を設け、
前記発光素子からの光を通過させるための開口を隣接する放熱用フィンの間に形成し、
前記開口を通過した光を反射するための反射面を、放熱用フィンの表面と、前記橋絡手段の表面のうち前記複数の放熱用フィンに対向する面とに形成したことを特徴とする照明装置。
【請求項２】
放射状に配列された複数の放熱用フィンの中心軸線方向の両端に前記橋絡手段を配置したことを特徴とする請求項１に記載の照明装置。
【請求項３】
前記発光素子からの光を導光するためのレンズを前記環状の橋絡手段の内周面に圧入したことを特徴とする請求項２に記載の照明装置。
【請求項４】
前記開口を通過した光を反射するための反射面と前記レンズが圧入せしめられる内周面とを備えた一方の橋絡手段と、前記開口を通過した光を反射するための反射面を備えた他方の橋絡手段と、前記開口を通過した光を反射するための反射面を備えた複数の放熱用フィンとを一部材によって形成したことを特徴とする請求項３に記載の照明装置。
【発明の詳細な説明】
【技術分野】
【０００１】
本発明は、発光素子が発生した熱を放熱するために複数の放熱用フィンが放射状に配列された照明装置に関し、特には、発光素子が発生した熱の放熱特性を向上させつつ、発光素子からの光を放射状に照射することができ、更に、発光素子からの光の利用効率を向上させることができる照明装置に関する。
【背景技術】
【０００２】
従来から、発光素子（発光素子チップ）が発生した熱を放熱するために複数の放熱用フィン（放熱フィン）が放射状に配列された照明装置が知られている。この種の照明装置の例としては、例えば特開２００５−９３０９７号公報に記載されたものがある。
【０００３】
特開２００５−９３０９７号公報に記載された照明装置では、板状のベース部上に絶縁性ヒートシンクが配置され、その絶縁性ヒートシンク上に発光素子（発光素子チップ）が配置されている。また、ベース部の下側（裏面側）には、円筒状の支持体が取り付けられ、その円筒状の支持体の外周面に複数の長方形の板状の放熱用フィン（放熱フィン）が取り付けられている。
【０００４】
詳細には、特開２００５−９３０９７号公報に記載された照明装置では、発光素子（発光素子チップ）が発生した熱が、絶縁性ヒートシンク、ベース部および支持体を介して、放熱用フィン（放熱フィン）から放熱されている。
【０００５】
ところで、特開２００５−９３０９７号公報に記載された照明装置では、絶縁性ヒートシンクが、発光素子（発光素子チップ）に対して照明装置の中心軸線方向にオフセットして配置され、更に、ベース部が、絶縁性ヒートシンクに対して照明装置の中心軸線方向にオフセットして配置され、その上、支持体および放熱用フィン（放熱フィン）が、ベース部に対して照明装置の中心軸線方向にオフセットして配置されている。
【０００６】
つまり、特開２００５−９３０９７号公報に記載された照明装置では、放熱用フィン（放熱フィン）が、照明装置の中心軸線方向に発光素子（発光素子チップ）からかなり離れた位置に配置されている。
【０００７】
そのため、特開２００５−９３０９７号公報に記載された照明装置では、発光素子（発光素子チップ）から放熱用フィン（放熱フィン）までの放熱経路が長くなっており、その結果、放熱用フィン（放熱フィン）による放熱特性が低下してしまっている。
【０００８】
一方、発光素子（発光素子チップ）から放熱用フィン（放熱フィン）までの放熱経路を短くするために、支持体および放熱用フィン（放熱フィン）を発光素子（発光素子チップ）の径方向の外側に配置しようとすると、つまり、発光素子（発光素子チップ）に対して照明装置の中心軸線方向にオフセットしない位置に支持体および放熱用フィン（放熱フィン）を配置しようとすると、発光素子（発光素子チップ）から放射状に放射された光が支持体および放熱用フィン（放熱フィン）によって遮られてしまい、その結果、発光素子（発光素子チップ）からの光を照明装置の径方向に放射状に照射することができなくなってしまう。
【０００９】
【特許文献１】特開２００５−９３０９７号公報
【発明の開示】
【発明が解決しようとする課題】
【００１０】
前記問題点に鑑み、本発明は、発光素子が発生した熱の放熱特性を向上させつつ、発光素子からの光を放射状に照射することができる照明装置を提供することを目的とする。
【００１１】
更に、本発明は、発光素子から放射された光が放熱用フィンの表面において吸収されてしまう場合よりも発光素子からの光の利用効率を向上させることができる照明装置を提供することを目的とする。
【課題を解決するための手段】
【００１２】
請求項１に記載の発明によれば、発光素子が発生した熱を放熱するために複数の放熱用フィンが放射状に配列された照明装置において、
前記複数の放熱用フィンを前記発光素子の径方向の外側に配置すると共に、前記複数の放熱用フィンを橋絡するための環状の橋絡手段を設け、
前記発光素子からの光を通過させるための開口を隣接する放熱用フィンの間に形成し、
前記開口を通過した光を反射するための反射面を、放熱用フィンの表面と、前記橋絡手段の表面のうち前記複数の放熱用フィンに対向する面とに形成したことを特徴とする照明装置が提供される。
【００１３】
請求項２に記載の発明によれば、放射状に配列された複数の放熱用フィンの中心軸線方向の両端に前記橋絡手段を配置したことを特徴とする請求項１に記載の照明装置が提供される。
【００１４】
請求項３に記載の発明によれば、前記発光素子からの光を導光するためのレンズを前記環状の橋絡手段の内周面に圧入したことを特徴とする請求項２に記載の照明装置が提供される。
【００１５】
請求項４に記載の発明によれば、前記開口を通過した光を反射するための反射面と前記レンズが圧入せしめられる内周面とを備えた一方の橋絡手段と、前記開口を通過した光を反射するための反射面を備えた他方の橋絡手段と、前記開口を通過した光を反射するための反射面を備えた複数の放熱用フィンとを一部材によって形成したことを特徴とする請求項３に記載の照明装置が提供される。
【発明の効果】
【００１８】
請求項１に記載の照明装置では、発光素子からの光を通過させるための開口が、隣接する放熱用フィンの間に形成されている。換言すれば、請求項１に記載の照明装置では、隣接する放熱用フィンの間を発光素子からの光が通過するように、放熱用フィンが発光素子の比較的近傍に配置されている。更に、複数の放熱用フィンが発光素子の径方向の外側に配置されている。そのため、請求項１に記載の照明装置によれば、放熱用フィンが発光素子から離れた位置に配置されている場合よりも、発光素子が発生した熱の放熱特性を向上させることができる。
【００１９】
また、請求項１に記載の照明装置では、発光素子からの光を通過させるための開口が、放射状に配列された複数の放熱用フィンのうち、隣接する放熱用フィンの間に形成されている。換言すれば、請求項１に記載の照明装置では、発光素子から放射された光が、放射状に配列された複数の放熱用フィンの間の開口を通過せしめられ、放射状に照射される。そのため、請求項１に記載の照明装置によれば、発光素子からの光を放射状に照射することができる。
【００２０】
更に、請求項１に記載の照明装置では、開口を通過した光を反射するための反射面が放熱用フィンの表面に形成されている。換言すれば、請求項１に記載の照明装置では、発光素子から放射され、隣接する放熱用フィンの間の開口を通過せしめられた光のうち、放熱用フィンの表面に衝突した光が、放熱用フィンの表面によって反射せしめられ、有効利用される。そのため、請求項１に記載の照明装置によれば、発光素子から放射され、放熱用フィンの表面に衝突した光が放熱用フィンの表面において吸収されてしまう場合よりも、発光素子からの光の利用効率を向上させることができる。
【００２１】
すなわち、請求項１に記載の照明装置によれば、発光素子が発生した熱の放熱特性を向上させつつ、発光素子からの光を放射状に照射することができ、更に、発光素子から放射された光が放熱用フィンの表面において吸収されてしまう場合よりも発光素子からの光の利用効率を向上させることができる。
【００２２】
請求項１に記載の照明装置では、複数の放熱用フィンを橋絡するための環状の橋絡手段が設けられている。更に、隣接する放熱用フィンの間の開口を通過した光を反射するための反射面が、橋絡手段の表面のうち、複数の放熱用フィンに対向する面に形成されている。換言すれば、請求項１に記載の照明装置では、発光素子から放射され、隣接する放熱用フィンの間の開口を通過せしめられた光のうち、橋絡手段の表面に衝突した光が、橋絡手段の表面によって反射せしめられ、有効利用される。
【００２３】
そのため、請求項１に記載の照明装置によれば、発光素子から放射され、橋絡手段の表面に衝突した光が橋絡手段の表面において吸収されてしまう場合よりも、発光素子からの光の利用効率を向上させることができる。
【００２４】
請求項２に記載の照明装置では、複数の放熱用フィンを橋絡するための環状の橋絡手段が、放射状に配列された複数の放熱用フィンの中心軸線方向の両端に配置されている。そのため、請求項２に記載の照明装置によれば、橋絡手段が放熱用フィンの中心軸線方向の一端のみに配置されている場合よりも、放射状に配列された複数の放熱用フィンの剛性を向上させることができる。
【００２５】
請求項３に記載の照明装置では、発光素子からの光を導光するためのレンズが、環状の橋絡手段の内周面に圧入されている。換言すれば、請求項３に記載の照明装置では、複数の放熱用フィンを橋絡するための機能と、レンズの位置決めおよび固定を行うための機能とが、橋絡手段に備えられている。そのため、請求項３に記載の照明装置によれば、レンズの位置決めおよび固定を行うための部材を橋絡手段とは別個に設ける必要性を排除することができる。
【００２６】
請求項４に記載の照明装置では、開口を通過した光を反射するための反射面とレンズが圧入せしめられる内周面とを備えた一方の橋絡手段と、開口を通過した光を反射するための反射面を備えた他方の橋絡手段と、開口を通過した光を反射するための反射面を備えた複数の放熱用フィンとが、一部材によって形成されている。
【００２７】
そのため、請求項４に記載の照明装置によれば、一方の橋絡手段と他方の橋絡手段と複数の放熱用フィンとが別個の部材によって形成されるのに伴って、橋絡手段に固定されたレンズ並びに橋絡手段および放熱用フィンに形成された反射面を介して照射される発光素子からの光の光路が所望の光路からずれてしまうのを抑制することができる。
【発明を実施するための最良の形態】
【００２８】
以下、本発明の照明装置の第１の実施形態について説明する。図１は第１の実施形態の照明装置を示した図である。詳細には、図１（Ａ）は第１の実施形態の照明装置の平面図、図１（Ｂ）は第１の実施形態の照明装置の正面図である。図２は図１に示した第１の実施形態の照明装置の分解組立図である。
【００２９】
図１および図２において、１はレンズを示しており、２はレンズ１を保持するためのレンズホルダを示している。３は概略Ｏ状の熱伝導シートを示しており、４は例えばＬＥＤのような発光素子を示している。５は発光素子４を支持するための基板を示しており、６は基板５を支持するための支持部材を示している。７は概略Ｏ状の熱伝導シートを示しており、８はソケットを示しており、９はソケット８に形成されたコンタクト（図示せず）と基板５とを電気的に接続するための導線を示している。
【００３０】
図１および図２に示す第１の実施形態の照明装置は、例えば鍵穴形状の穴（図示せず）を有する取り付け部材（図示せず）に取り付けられて使用される。詳細には、まず最初に、第１の実施形態の照明装置が図１（Ｂ）の下側に移動せしめられる。詳細には、第１の実施形態の照明装置のうち、ソケット８の右端部および左端部（図２参照）が、鍵穴形状の穴を通過せしめられ、取り付け部材の下側まで挿入される。次いで、第１の実施形態の照明装置が、その中心軸線（図２の１点鎖線）を中心に例えば９０°回転せしめられる。その結果、ソケット８の右端部および左端部が鍵穴形状の穴から抜けないように、第１の実施形態の照明装置が取り付け部材に対して固定される。
【００３１】
一方、第１の実施形態の照明装置が取り付け部材（図示せず）から取り外される場合には、まず最初に、第１の実施形態の照明装置が、その中心軸線（図２の１点鎖線）を中心に例えば９０°回転せしめられる。次いで、第１の実施形態の照明装置が図１（Ｂ）の上側に移動せしめられる。詳細には、第１の実施形態の照明装置のうち、ソケット８の右端部および左端部（図２参照）が、鍵穴形状の穴（図示せず）を通過せしめられる。つまり、第１の実施形態の照明装置は、取り付け部材の上側（表面側）から交換できるように構成されている。
【００３２】
第１の実施形態の照明装置が取り付け部材（図示せず）に対して固定されると、第１の実施形態の照明装置のソケット８に形成されたコンタクト（図示せず）と、取り付け部材の下側に配置されたプリント基板（図示せず）とが接触せしめられ、第１の実施形態の照明装置の発光素子４が点灯可能な状態になる。
【００３３】
第１の実施形態の照明装置では、発光素子４が点灯せしめられると、発光素子４から放射された光の一部が、レンズ１の下面（図２の下側の面）を介してレンズ１内に進入し、次いで、レンズ１の上面（図２の上側の面）のレンズカット部を介して拡散せしめられ、上方（図１（Ｂ）および図２の上側）に照射される。また、発光素子４から放射された光の一部が、レンズ１の下面（図２の下側の面）を介してレンズ１内に進入し、次いで、レンズ１の側面から出射せしめられ、レンズホルダ２の側面を介して概略放射状に照射される。
【００３４】
更に、第１の実施形態の照明装置では、発光素子４の点灯に伴って発光素子４が発生する熱の一部は、基板５、熱伝導シート３、支持部材６および熱伝導シート７を介して取り付け部材（図示せず）に熱伝導され、取り付け部材の表面から放熱される。同時に、発光素子４の点灯に伴って発光素子４が発生する熱の一部は、基板５、熱伝導シート３および支持部材６を介してレンズホルダ２に熱伝導され、レンズホルダ２の表面からも放熱される。
【００３５】
図３〜図７は図１および図２に示したレンズホルダ２の拡大部品図である。詳細には、図３（Ａ）はレンズホルダ２の平面図、図３（Ｂ）はレンズホルダ２の正面図、図４（Ａ）はレンズホルダ２の左側面図、図４（Ｂ）はレンズホルダ２の右側面図、図５（Ａ）はレンズホルダ２の後側面図、図５（Ｂ）はレンズホルダ２の底面図、図６（Ａ）は図３（Ａ）のＡ−Ａ断面図、図６（Ｂ）は図３（Ａ）のＢ−Ｂ断面図、図７（Ａ）は図３（Ｂ）のＣ−Ｃ断面図、図７（Ｂ）は図３（Ｂ）のＤ−Ｄ断面図である。
【００３６】
図３〜図７において、２ｂ１，２ｂ２，２ｂ３，２ｂ４，２ｂ５，２ｂ６，２ｂ７，２ｂ８は、発光素子４が発生した熱を放熱するためにレンズホルダ２に形成された放熱用フィンを示している。２ａ，２ｃは８個の放熱用フィン２ｂ１，２ｂ２，２ｂ３，２ｂ４，２ｂ５，２ｂ６，２ｂ７，２ｂ８を橋絡するための環状の橋絡部を示している。２ａ９は橋絡部２ａの内周面を示している。２ｃ９は発光素子４を収容するために橋絡部２ｃに形成された開口を示している。
【００３７】
第１の実施形態の照明装置では、図３（Ａ）、図７（Ａ）および図７（Ｂ）に示すように、８個の放熱用フィン２ｂ１，２ｂ２，２ｂ３，２ｂ４，２ｂ５，２ｂ６，２ｂ７，２ｂ８が放射状に配列されている。詳細には、発光素子４が発生した熱の一部が、レンズホルダ２の放熱用フィン２ｂ１，２ｂ２，２ｂ３，２ｂ４，２ｂ５，２ｂ６，２ｂ７，２ｂ８の表面から放熱される。更に、図３（Ｂ）、図４（Ａ）、図４（Ｂ）、図５（Ａ）、図６（Ａ）および図６（Ｂ）に示すように、橋絡部２ａ，２ｃが、レンズホルダ２の中心軸線Ｌの方向の放熱用フィン２ｂ１，２ｂ２，２ｂ３，２ｂ４，２ｂ５，２ｂ６，２ｂ７，２ｂ８の両端に配置されている。詳細には、橋絡部２ａ，２ｃと放熱用フィン２ｂ１，２ｂ２，２ｂ３，２ｂ４，２ｂ５，２ｂ６，２ｂ７，２ｂ８とが一部材によって形成されている。
【００３８】
また、第１の実施形態の照明装置では、レンズ１がレンズホルダ２の橋絡部２ａの内周面２ａ９に圧入せしめられ、その結果、レンズ１がレンズホルダ２によって保持される。つまり、第１の実施形態の照明装置では、発光素子１が発生した熱を放熱する機能と、レンズ１を保持する機能とがレンズホルダ２に備えられている。
【００３９】
更に、第１の実施形態の照明装置では、図３（Ａ）、図３（Ｂ）、図４（Ａ）、図６（Ａ）、図７（Ａ）および図７（Ｂ）に示すように、レンズホルダ２の中心軸線Ｌ上に配置される発光素子４（図２参照）からの光を通過させるための開口２ｂ１ｃが、隣接する放熱用フィン２ｂ１と放熱用フィン２ｂ２との間に形成されている。また、図３（Ａ）、図３（Ｂ）、図７（Ａ）および図７（Ｂ）に示すように、発光素子４（図２参照）からの光を通過させるための開口２ｂ２ｃが、隣接する放熱用フィン２ｂ２と放熱用フィン２ｂ３との間に形成されている。
【００４０】
また、第１の実施形態の照明装置では、図３（Ａ）、図３（Ｂ）、図４（Ｂ）、図７（Ａ）および図７（Ｂ）に示すように、発光素子４（図２参照）からの光を通過させるための開口２ｂ３ｃが、隣接する放熱用フィン２ｂ３と放熱用フィン２ｂ４との間に形成されている。更に、図３（Ａ）、図４（Ｂ）、図７（Ａ）および図７（Ｂ）に示すように、発光素子４（図２参照）からの光を通過させるための開口２ｂ４ｃが、隣接する放熱用フィン２ｂ４と放熱用フィン２ｂ５との間に形成されている。
【００４１】
更に、第１の実施形態の照明装置では、図３（Ａ）、図４（Ｂ）、図５（Ａ）、図６（Ｂ）、図７（Ａ）および図７（Ｂ）に示すように、発光素子４（図２参照）からの光を通過させるための開口２ｂ５ｃが、隣接する放熱用フィン２ｂ５と放熱用フィン２ｂ６との間に形成されている。また、図３（Ａ）、図５（Ａ）、図６（Ｂ）、図７（Ａ）および図７（Ｂ）に示すように、発光素子４（図２参照）からの光を通過させるための開口２ｂ６ｃが、隣接する放熱用フィン２ｂ６と放熱用フィン２ｂ７との間に形成されている。
【００４２】
また、第１の実施形態の照明装置では、図３（Ａ）、図４（Ａ）、図５（Ａ）、図６（Ａ）、図７（Ａ）および図７（Ｂ）に示すように、発光素子４（図２参照）からの光を通過させるための開口２ｂ７ｃが、隣接する放熱用フィン２ｂ７と放熱用フィン２ｂ８との間に形成されている。更に、図３（Ａ）、図４（Ａ）、図６（Ａ）、図７（Ａ）および図７（Ｂ）に示すように、発光素子４（図２参照）からの光を通過させるための開口２ｂ８ｃが、隣接する放熱用フィン２ｂ８と放熱用フィン２ｂ１との間に形成されている。
【００４３】
そのため、第１の実施形態の照明装置では、発光素子４から放射された光の一部が、レンズ１の下面（図２の下側の面）を介してレンズ１内に進入し、次いで、レンズ１の側面から出射せしめられ、次いで、レンズホルダ２の開口２ｂ１ｃ，２ｂ２ｃ，２ｂ３ｃ，２ｂ４ｃ，２ｂ５ｃ，２ｂ６ｃ，２ｂ７ｃ，２ｂ８ｃを介して概略放射状に照射される。
【００４４】
更に、第１の実施形態の照明装置では、図３（Ａ）、図３（Ｂ）、図６（Ａ）、図７（Ａ）および図７（Ｂ）に示すように、開口２ｂ１ｃを通過せしめられた発光素子４（図２参照）からの光のうち、放熱用フィン２ｂ１に衝突した光を反射するための反射面２ｂ１ａが、放熱用フィン２ｂ１に形成されている。また、図３（Ａ）、図４（Ａ）、図７（Ａ）および図７（Ｂ）に示すように、開口２ｂ１ｃを通過せしめられた発光素子４（図２参照）からの光のうち、放熱用フィン２ｂ２に衝突した光を反射するための反射面２ｂ２ｂが、放熱用フィン２ｂ１に形成されている。
【００４５】
また、第１の実施形態の照明装置では、図３（Ａ）、図３（Ｂ）、図６（Ａ）、図７（Ａ）および図７（Ｂ）に示すように、開口２ｂ２ｃを通過せしめられた発光素子４（図２参照）からの光のうち、放熱用フィン２ｂ２に衝突した光を反射するための反射面２ｂ２ａが、放熱用フィン２ｂ２に形成されている。更に、図３（Ａ）、図３（Ｂ）、図７（Ａ）および図７（Ｂ）に示すように、開口２ｂ２ｃを通過せしめられた発光素子４（図２参照）からの光のうち、放熱用フィン２ｂ３に衝突した光を反射するための反射面２ｂ３ｂが、放熱用フィン２ｂ３に形成されている。
【００４６】
更に、第１の実施形態の照明装置では、図３（Ａ）、図４（Ｂ）、図７（Ａ）および図７（Ｂ）に示すように、開口２ｂ３ｃを通過せしめられた発光素子４（図２参照）からの光のうち、放熱用フィン２ｂ３に衝突した光を反射するための反射面２ｂ３ａが、放熱用フィン２ｂ３に形成されている。また、図３（Ａ）、図３（Ｂ）、図７（Ａ）および図７（Ｂ）に示すように、開口２ｂ３ｃを通過せしめられた発光素子４（図２参照）からの光のうち、放熱用フィン２ｂ４に衝突した光を反射するための反射面２ｂ４ｂが、放熱用フィン２ｂ４に形成されている。
【００４７】
また、第１の実施形態の照明装置では、図３（Ａ）、図４（Ｂ）、図７（Ａ）および図７（Ｂ）に示すように、開口２ｂ４ｃを通過せしめられた発光素子４（図２参照）からの光のうち、放熱用フィン２ｂ４に衝突した光を反射するための反射面２ｂ４ａが、放熱用フィン２ｂ４に形成されている。更に、図３（Ａ）、図４（Ｂ）、図６（Ｂ）、図７（Ａ）および図７（Ｂ）に示すように、開口２ｂ４ｃを通過せしめられた発光素子４（図２参照）からの光のうち、放熱用フィン２ｂ５に衝突した光を反射するための反射面２ｂ５ｂが、放熱用フィン２ｂ５に形成されている。
【００４８】
更に、第１の実施形態の照明装置では、図３（Ａ）、図５（Ａ）、図７（Ａ）および図７（Ｂ）に示すように、開口２ｂ５ｃを通過せしめられた発光素子４（図２参照）からの光のうち、放熱用フィン２ｂ５に衝突した光を反射するための反射面２ｂ５ａが、放熱用フィン２ｂ５に形成されている。また、図３（Ａ）、図４（Ｂ）、図６（Ｂ）、図７（Ａ）および図７（Ｂ）に示すように、開口２ｂ５ｃを通過せしめられた発光素子４（図２参照）からの光のうち、放熱用フィン２ｂ６に衝突した光を反射するための反射面２ｂ６ｂが、放熱用フィン２ｂ６に形成されている。
【００４９】
また、第１の実施形態の照明装置では、図３（Ａ）、図５（Ａ）、図６（Ｂ）、図７（Ａ）および図７（Ｂ）に示すように、開口２ｂ６ｃを通過せしめられた発光素子４（図２参照）からの光のうち、放熱用フィン２ｂ６に衝突した光を反射するための反射面２ｂ６ａが、放熱用フィン２ｂ６に形成されている。更に、図３（Ａ）、図５（Ａ）、図６（Ａ）、図７（Ａ）および図７（Ｂ）に示すように、開口２ｂ６ｃを通過せしめられた発光素子４（図２参照）からの光のうち、放熱用フィン２ｂ７に衝突した光を反射するための反射面２ｂ７ｂが、放熱用フィン２ｂ７に形成されている。
【００５０】
更に、第１の実施形態の照明装置では、図３（Ａ）、図４（Ａ）、図６（Ｂ）、図７（Ａ）および図７（Ｂ）に示すように、開口２ｂ７ｃを通過せしめられた発光素子４（図２参照）からの光のうち、放熱用フィン２ｂ７に衝突した光を反射するための反射面２ｂ７ａが、放熱用フィン２ｂ７に形成されている。また、図３（Ａ）、図５（Ａ）、図６（Ａ）、図７（Ａ）および図７（Ｂ）に示すように、開口２ｂ７ｃを通過せしめられた発光素子４（図２参照）からの光のうち、放熱用フィン２ｂ８に衝突した光を反射するための反射面２ｂ８ｂが、放熱用フィン２ｂ８に形成されている。
【００５１】
更に、第１の実施形態の照明装置では、図３（Ａ）、図４（Ａ）、図７（Ａ）および図７（Ｂ）に示すように、開口２ｂ８ｃを通過せしめられた発光素子４（図２参照）からの光のうち、放熱用フィン２ｂ８に衝突した光を反射するための反射面２ｂ８ａが、放熱用フィン２ｂ８に形成されている。また、図３（Ａ）、図４（Ａ）、図６（Ａ）、図７（Ａ）および図７（Ｂ）に示すように、開口２ｂ８ｃを通過せしめられた発光素子４（図２参照）からの光のうち、放熱用フィン２ｂ１に衝突した光を反射するための反射面２ｂ１ｂが、放熱用フィン２ｂ１に形成されている。
【００５２】
また、第１の実施形態の照明装置では、図３（Ｂ）、図４（Ａ）および図７（Ａ）に示すように、開口２ｂ１ｃを通過せしめられた発光素子４（図２参照）からの光のうち、橋絡部２ａに衝突した光を反射するための反射面２ａ１が、橋絡部２ａの下側（図３（Ｂ）および図４（Ａ）の下側、放熱用フィン２ｂ１，２ｂ２に対向する側)の表面に形成されている。更に、図３（Ｂ）、図４（Ａ）および図７（Ｂ）に示すように、開口２ｂ１ｃを通過せしめられた発光素子４（図２参照）からの光のうち、橋絡部２ｃに衝突した光を反射するための反射面２ｃ１が、橋絡部２ｃの上側（図３（Ｂ）および図４（Ａ）の上側、放熱用フィン２ｂ１，２ｂ２に対向する側)の表面に形成されている。
【００５３】
更に、第１の実施形態の照明装置では、図３（Ｂ）、図６（Ａ）および図７（Ａ）に示すように、開口２ｂ２ｃを通過せしめられた発光素子４（図２参照）からの光のうち、橋絡部２ａに衝突した光を反射するための反射面２ａ２が、橋絡部２ａの下側（図３（Ｂ）および図６（Ａ）の下側、放熱用フィン２ｂ２，２ｂ３に対向する側)の表面に形成されている。また、図３（Ｂ）、図６（Ａ）および図７（Ｂ）に示すように、開口２ｂ２ｃを通過せしめられた発光素子４（図２参照）からの光のうち、橋絡部２ｃに衝突した光を反射するための反射面２ｃ２が、橋絡部２ｃの上側（図３（Ｂ）および図６（Ａ）の上側、放熱用フィン２ｂ２，２ｂ３に対向する側)の表面に形成されている。
【００５４】
また、第１の実施形態の照明装置では、図３（Ｂ）、図４（Ｂ）および図７（Ａ）に示すように、開口２ｂ３ｃを通過せしめられた発光素子４（図２参照）からの光のうち、橋絡部２ａに衝突した光を反射するための反射面２ａ３が、橋絡部２ａの下側（図３（Ｂ）および図４（Ｂ）の下側、放熱用フィン２ｂ３，２ｂ４に対向する側)の表面に形成されている。更に、図３（Ｂ）、図４（Ｂ）および図７（Ｂ）に示すように、開口２ｂ３ｃを通過せしめられた発光素子４（図２参照）からの光のうち、橋絡部２ｃに衝突した光を反射するための反射面２ｃ３が、橋絡部２ｃの上側（図３（Ｂ）および図４（Ｂ）の上側、放熱用フィン２ｂ３，２ｂ４に対向する側)の表面に形成されている。
【００５５】
更に、第１の実施形態の照明装置では、図４（Ｂ）および図７（Ａ）に示すように、開口２ｂ４ｃを通過せしめられた発光素子４（図２参照）からの光のうち、橋絡部２ａに衝突した光を反射するための反射面２ａ４が、橋絡部２ａの下側（図４（Ｂ）の下側、放熱用フィン２ｂ４，２ｂ５に対向する側)の表面に形成されている。また、図４（Ｂ）および図７（Ｂ）に示すように、開口２ｂ４ｃを通過せしめられた発光素子４（図２参照）からの光のうち、橋絡部２ｃに衝突した光を反射するための反射面２ｃ４が、橋絡部２ｃの上側（図４（Ｂ）の上側、放熱用フィン２ｂ４，２ｂ５に対向する側)の表面に形成されている。
【００５６】
また、第１の実施形態の照明装置では、図４（Ｂ）、図５（Ａ）および図７（Ａ）に示すように、開口２ｂ５ｃを通過せしめられた発光素子４（図２参照）からの光のうち、橋絡部２ａに衝突した光を反射するための反射面２ａ５が、橋絡部２ａの下側（図４（Ｂ）および図５（Ａ）の下側、放熱用フィン２ｂ５，２ｂ６に対向する側)の表面に形成されている。更に、図４（Ｂ）、図５（Ａ）および図７（Ｂ）に示すように、開口２ｂ５ｃを通過せしめられた発光素子４（図２参照）からの光のうち、橋絡部２ｃに衝突した光を反射するための反射面２ｃ５が、橋絡部２ｃの上側（図４（Ｂ）および図５（Ａ）の上側、放熱用フィン２ｂ５，２ｂ６に対向する側)の表面に形成されている。
【００５７】
更に、第１の実施形態の照明装置では、図５（Ａ）、図６（Ａ）および図７（Ａ）に示すように、開口２ｂ６ｃを通過せしめられた発光素子４（図２参照）からの光のうち、橋絡部２ａに衝突した光を反射するための反射面２ａ６が、橋絡部２ａの下側（図５（Ａ）および図６（Ａ）の下側、放熱用フィン２ｂ６，２ｂ７に対向する側)の表面に形成されている。また、図５（Ａ）、図６（Ａ）および図７（Ｂ）に示すように、開口２ｂ６ｃを通過せしめられた発光素子４（図２参照）からの光のうち、橋絡部２ｃに衝突した光を反射するための反射面２ｃ６が、橋絡部２ｃの上側（図５（Ａ）および図６（Ａ）の上側、放熱用フィン２ｂ６，２ｂ７に対向する側)の表面に形成されている。
【００５８】
また、第１の実施形態の照明装置では、図４（Ａ）、図５（Ａ）および図７（Ａ）に示すように、開口２ｂ７ｃを通過せしめられた発光素子４（図２参照）からの光のうち、橋絡部２ａに衝突した光を反射するための反射面２ａ７が、橋絡部２ａの下側（図４（Ａ）および図５（Ａ）の下側、放熱用フィン２ｂ７，２ｂ８に対向する側)の表面に形成されている。更に、図４（Ａ）、図５（Ａ）および図７（Ｂ）に示すように、開口２ｂ７ｃを通過せしめられた発光素子４（図２参照）からの光のうち、橋絡部２ｃに衝突した光を反射するための反射面２ｃ７が、橋絡部２ｃの上側（図４（Ａ）および図５（Ａ）の上側、放熱用フィン２ｂ７，２ｂ８に対向する側)の表面に形成されている。
【００５９】
更に、第１の実施形態の照明装置では、図４（Ａ）および図７（Ａ）に示すように、開口２ｂ８ｃを通過せしめられた発光素子４（図２参照）からの光のうち、橋絡部２ａに衝突した光を反射するための反射面２ａ８が、橋絡部２ａの下側（図４（Ａ）の下側、放熱用フィン２ｂ８，２ｂ１に対向する側)の表面に形成されている。また、図４（Ａ）および図７（Ｂ）に示すように、開口２ｂ８ｃを通過せしめられた発光素子４（図２参照）からの光のうち、橋絡部２ｃに衝突した光を反射するための反射面２ｃ８が、橋絡部２ｃの上側（図４（Ａ）の上側、放熱用フィン２ｂ８，２ｂ１に対向する側)の表面に形成されている。
【００６０】
図８は第１の実施形態の照明装置のレンズホルダ２と発光素子４との位置関係を示した図である。詳細には、図８（Ａ）は図７（Ｂ）に示したレンズホルダ２の断面図に発光素子４を描き加えた図、図８（Ｂ）は図６（Ａ）に示したレンズホルダ２の断面図に発光素子４を描き加えた図である。
【００６１】
第１の実施形態の照明装置では、図８（Ａ）に示すように、発光素子４からの光を通過させるための開口２ｂ１ｃ，２ｂ２ｃ，２ｂ３ｃ，２ｂ４ｃ，２ｂ５ｃ，２ｂ６ｃ，２ｂ７ｃ，２ｂ８ｃが、隣接する放熱用フィン２ｂ１，２ｂ２，２ｂ３，２ｂ４，２ｂ５，２ｂ６，２ｂ７，２ｂ８の間に形成されている。また、放熱用フィン２ｂ１，２ｂ２，２ｂ３，２ｂ４，２ｂ５，２ｂ６，２ｂ７，２ｂ８が発光素子４の径方向の外側に配置されている。
【００６２】
詳細には、第１の実施形態の照明装置では、図８（Ｂ）に示すように、隣接する放熱用フィン２ｂ１，２ｂ２，２ｂ３，２ｂ４，２ｂ５，２ｂ６，２ｂ７，２ｂ８の間を発光素子４からの光が通過するように、放熱用フィン２ｂ１，２ｂ２，２ｂ３，２ｂ４，２ｂ５，２ｂ６，２ｂ７，２ｂ８が発光素子４の比較的近傍に配置されている。つまり、放熱用フィン２ｂ１，２ｂ２，２ｂ３，２ｂ４，２ｂ５，２ｂ６，２ｂ７，２ｂ８と発光素子４との図８（Ｂ）の上下方向のオフセット量が、比較的小さい値に設定されている。
【００６３】
そのため、第１の実施形態の照明装置によれば、放熱用フィン２ｂ１，２ｂ２，２ｂ３，２ｂ４，２ｂ５，２ｂ６，２ｂ７，２ｂ８が発光素子４から図８（Ａ）の径方向および図８（Ｂ）の上下方向の比較的離れた位置に配置されている場合よりも、発光素子４が発生した熱の放熱特性を向上させることができる。
【００６４】
また、第１の実施形態の照明装置では、図８（Ａ）に示すように、発光素子４からの光を通過させるための開口２ｂ１ｃ，２ｂ２ｃ，２ｂ３ｃ，２ｂ４ｃ，２ｂ５ｃ，２ｂ６ｃ，２ｂ７ｃ，２ｂ８ｃが、隣接する放熱用フィン２ｂ１，２ｂ２，２ｂ３，２ｂ４，２ｂ５，２ｂ６，２ｂ７，２ｂ８の間に形成されている。換言すれば、第１の実施形態の照明装置では、発光素子４から放射された光が、放射状に配列された放熱用フィン２ｂ１，２ｂ２，２ｂ３，２ｂ４，２ｂ５，２ｂ６，２ｂ７，２ｂ８の間の開口２ｂ１ｃ，２ｂ２ｃ，２ｂ３ｃ，２ｂ４ｃ，２ｂ５ｃ，２ｂ６ｃ，２ｂ７ｃ，２ｂ８ｃを通過せしめられ、放射状に照射される。そのため、第１の実施形態の照明装置によれば、発光素子４からの光を、図１（Ｂ）の上側のみならず、放射状にも照射することができる。
【００６５】
更に、第１の実施形態の照明装置では、図８（Ａ）に示すように、開口２ｂ１ｃ，２ｂ２ｃ，２ｂ３ｃ，２ｂ４ｃ，２ｂ５ｃ，２ｂ６ｃ，２ｂ７ｃ，２ｂ８ｃを通過した光を反射するための反射面２ｂ１ａ，２ｂ１ｂ，２ｂ２ａ，２ｂ２ｂ，２ｂ３ａ，２ｂ３ｂ，２ｂ４ａ，２ｂ４ｂ，２ｂ５ａ，２ｂ５ｂ，２ｂ６ａ，２ｂ６ｂ，２ｂ７ａ，２ｂ７ｂ，２ｂ８ａ，２ｂ８ｂが放熱用フィン２ｂ１，２ｂ２，２ｂ３，２ｂ４，２ｂ５，２ｂ６，２ｂ７，２ｂ８の表面に形成されている。
【００６６】
換言すれば、第１の実施形態の照明装置では、発光素子４から放射され、隣接する放熱用フィン２ｂ１，２ｂ２，２ｂ３，２ｂ４，２ｂ５，２ｂ６，２ｂ７，２ｂ８の間の開口２ｂ１ｃ，２ｂ２ｃ，２ｂ３ｃ，２ｂ４ｃ，２ｂ５ｃ，２ｂ６ｃ，２ｂ７ｃ，２ｂ８ｃを通過せしめられた光のうち、放熱用フィン２ｂ１，２ｂ２，２ｂ３，２ｂ４，２ｂ５，２ｂ６，２ｂ７，２ｂ８の表面に衝突した光が、放熱用フィン２ｂ１，２ｂ２，２ｂ３，２ｂ４，２ｂ５，２ｂ６，２ｂ７，２ｂ８の表面によって反射せしめられ、有効利用される。
【００６７】
そのため、第１の実施形態の照明装置によれば、発光素子４から放射され、放熱用フィン２ｂ１，２ｂ２，２ｂ３，２ｂ４，２ｂ５，２ｂ６，２ｂ７，２ｂ８の表面に衝突した光が放熱用フィン２ｂ１，２ｂ２，２ｂ３，２ｂ４，２ｂ５，２ｂ６，２ｂ７，２ｂ８の表面において吸収されてしまう場合よりも、発光素子４からの光の利用効率を向上させることができる。
【００６８】
また、第１の実施形態の照明装置では、図３（Ｂ）、図４（Ａ）、図４（Ｂ）および図５（Ａ）に示すように、８個の放熱用フィン２ｂ１，２ｂ２，２ｂ３，２ｂ４，２ｂ５，２ｂ６，２ｂ７，２ｂ８を橋絡するための環状の橋絡部２ａ，２ｃが設けられている。更に、隣接する放熱用フィン２ｂ１，２ｂ２，２ｂ３，２ｂ４，２ｂ５，２ｂ６，２ｂ７，２ｂ８の間の開口２ｂ１ｃ，２ｂ２ｃ，２ｂ３ｃ，２ｂ４ｃ，２ｂ５ｃ，２ｂ６ｃ，２ｂ７ｃ，２ｂ８ｃを通過した光を反射するための反射面２ａ１，２ａ２，２ａ３，２ａ４，２ａ５，２ａ６，２ａ７，２ａ８，２ｃ１，２ｃ２，２ｃ３，２ｃ４，２ｃ５，２ｃ６，２ｃ７，２ｃ８が、橋絡部２ａ，２ｃの表面のうち、８個の放熱用フィン２ｂ１，２ｂ２，２ｂ３，２ｂ４，２ｂ５，２ｂ６，２ｂ７，２ｂ８に対向する面に形成されている。
【００６９】
換言すれば、第１の実施形態の照明装置では、発光素子４から放射され、隣接する放熱用フィン２ｂ１，２ｂ２，２ｂ３，２ｂ４，２ｂ５，２ｂ６，２ｂ７，２ｂ８の間の開口２ｂ１ｃ，２ｂ２ｃ，２ｂ３ｃ，２ｂ４ｃ，２ｂ５ｃ，２ｂ６ｃ，２ｂ７ｃ，２ｂ８ｃを通過せしめられた光のうち、橋絡部２ａ，２ｃの表面に衝突した光が、橋絡部２ａ，２ｃの反射面２ａ１，２ａ２，２ａ３，２ａ４，２ａ５，２ａ６，２ａ７，２ａ８，２ｃ１，２ｃ２，２ｃ３，２ｃ４，２ｃ５，２ｃ６，２ｃ７，２ｃ８によって反射せしめられ、有効利用される。
【００７０】
そのため、第１の実施形態の照明装置によれば、発光素子４から放射され、橋絡部２ａ，２ｃの表面に衝突した光が橋絡部２ａ，２ｃの表面において吸収されてしまう場合よりも、発光素子４からの光の利用効率を向上させることができる。
【００７１】
また、第１の実施形態の照明装置では、８個の放熱用フィン２ｂ１，２ｂ２，２ｂ３，２ｂ４，２ｂ５，２ｂ６，２ｂ７，２ｂ８を橋絡するための環状の橋絡部２ａ，２ｃが、８個の放熱用フィン２ｂ１，２ｂ２，２ｂ３，２ｂ４，２ｂ５，２ｂ６，２ｂ７，２ｂ８の中心軸線方向の両端に配置されている。そのため、第１の実施形態の照明装置によれば、橋絡部が放熱用フィン２ｂ１，２ｂ２，２ｂ３，２ｂ４，２ｂ５，２ｂ６，２ｂ７，２ｂ８の中心軸線方向の一端のみに配置されている場合よりも、８個の放熱用フィン２ｂ１，２ｂ２，２ｂ３，２ｂ４，２ｂ５，２ｂ６，２ｂ７，２ｂ８の剛性を向上させることができる。
【００７２】
更に、第１の実施形態の照明装置では、発光素子４からの光を導光するためのレンズ１が、環状の橋絡部２ａの内周面２ａ９に圧入されている。換言すれば、第１の実施形態の照明装置では、８個の放熱用フィン２ｂ１，２ｂ２，２ｂ３，２ｂ４，２ｂ５，２ｂ６，２ｂ７，２ｂ８を橋絡するための機能と、レンズ１の位置決めおよび固定を行うための機能とが、橋絡部２ａに備えられている。そのため、第１の実施形態の照明装置によれば、レンズ１の位置決めおよび固定を行うための部材を橋絡部２ａとは別個に設ける必要性を排除することができる。
【００７３】
また、第１の実施形態の照明装置では、橋絡部２ａと、橋絡部２ｃと、８個の放熱用フィン２ｂ１，２ｂ２，２ｂ３，２ｂ４，２ｂ５，２ｂ６，２ｂ７，２ｂ８とが、一部材によって形成されている。そのため、第１の実施形態の照明装置によれば、橋絡部２ａと橋絡部２ｃと８個の放熱用フィン２ｂ１，２ｂ２，２ｂ３，２ｂ４，２ｂ５，２ｂ６，２ｂ７，２ｂ８とが別個の部材によって形成されるのに伴って、橋絡部２ａに固定されたレンズ１、並びに、橋絡部２ａ，２ｃおよび放熱用フィン２ｂ１，２ｂ２，２ｂ３，２ｂ４，２ｂ５，２ｂ６，２ｂ７，２ｂ８に形成された反射面を介して照射される発光素子４からの光の光路が所望の光路からずれてしまうのを抑制することができる。
【００７４】
第１の実施形態の照明装置では、８個の放熱用フィン２ｂ１，２ｂ２，２ｂ３，２ｂ４，２ｂ５，２ｂ６，２ｂ７，２ｂ８がレンズホルダ２に設けられているが、第２の実施形態の照明装置では、代わりに、８個以外の任意の数の放熱用フィンをレンズホルダに設けることが可能である。
【００７５】
また、第１の実施形態の照明装置では、放熱用フィン２ｂ１，２ｂ２，２ｂ３，２ｂ４，２ｂ５，２ｂ６，２ｂ７，２ｂ８の反射面２ｂ１ａ，２ｂ１ｂ，２ｂ２ａ，２ｂ２ｂ，２ｂ３ａ，２ｂ３ｂ，２ｂ４ａ，２ｂ４ｂ，２ｂ５ａ，２ｂ５ｂ，２ｂ６ａ，２ｂ６ｂ，２ｂ７ａ，２ｂ７ｂ，２ｂ８ａ，２ｂ８ｂ、および、橋絡部２ａ，２ｃの反射面２ａ１，２ａ２，２ａ３，２ａ４，２ａ５，２ａ６，２ａ７，２ａ８，２ｃ１，２ｃ２，２ｃ３，２ｃ４，２ｃ５，２ｃ６，２ｃ７，２ｃ８が平面によって構成されているが、第３の実施形態の照明装置では、代わりに、それらの反射面を例えば放物柱面のような任意の面によって構成することも可能である。
【００７６】
更に、第１の実施形態の照明装置では、発光素子４からの光を導光するためのレンズ１が設けられているが、第４の実施形態の照明装置では、代わりに、レンズ１を省略することも可能である。
【００７７】
第５の実施形態では、上述した第１から第４の実施形態を適宜組合わせることも可能である。
【産業上の利用可能性】
【００７８】
本発明の照明装置は、例えば車両用灯具、一般照明灯具、遊技用灯具などに適用可能である。
【図面の簡単な説明】
【００７９】
【図１】第１の実施形態の照明装置を示した図である。
【図２】図１に示した第１の実施形態の照明装置の分解組立図である。
【図３】図１および図２に示したレンズホルダ２の拡大部品図である。
【図４】図１および図２に示したレンズホルダ２の拡大部品図である。
【図５】図１および図２に示したレンズホルダ２の拡大部品図である。
【図６】図１および図２に示したレンズホルダ２の拡大部品図である。
【図７】図１および図２に示したレンズホルダ２の拡大部品図である。
【図８】第１の実施形態の照明装置のレンズホルダ２と発光素子４との位置関係を示した図である。
【符号の説明】
【００８０】
１                              レンズ
２                              レンズホルダ
２ａ                            橋絡部
２ａ１，２ａ２，２ａ３，２ａ４  反射面
２ａ５，２ａ６，２ａ７，２ａ８  反射面
２ａ９                          内周面
２ｂ１，２ｂ２，２ｂ３，２ｂ４  放熱用フィン
２ｂ５，２ｂ６，２ｂ７，２ｂ８  放熱用フィン
２ｂ１ａ，２ｂ１ｂ              反射面
２ｂ１ｃ                        開口
２ｂ２ａ，２ｂ２ｂ              反射面
２ｂ２ｃ                        開口
２ｂ３ａ，２ｂ３ｂ              反射面
２ｂ３ｃ                        開口
２ｂ４ａ，２ｂ４ｂ              反射面
２ｂ４ｃ                        開口
２ｂ５ａ，２ｂ５ｂ              反射面
２ｂ５ｃ                        開口
２ｂ６ａ，２ｂ６ｂ              反射面
２ｂ６ｃ                        開口
２ｂ７ａ，２ｂ７ｂ              反射面
２ｂ７ｃ                        開口
２ｂ８ａ，２ｂ８ｂ              反射面
２ｂ８ｃ                        開口
２ｃ                            橋絡部
２ｃ１，２ｃ２，２ｃ３，２ｃ４  反射面
２ｃ５，２ｃ６，２ｃ７，２ｃ８  反射面
２ｃ９                          開口
３                              熱伝導シート
４                              発光素子
５                              基板
６                              支持部材
７                              熱伝導シート
８                              ソケット
９                              導線
【図１】
0004577846.tif 000002
【図２】
0004577846.tif 000003
【図３】
0004577846.tif 000004
【図４】
0004577846.tif 000005
【図５】
0004577846.tif 000006
【図６】
0004577846.tif 000007
【図７】
0004577846.tif 000008
【図８】
0004577846.tif 000009